(57)【要約】【課題】鉄塔におけるステップボルトと斜材に装着することで、鉄塔の任意の位置で休憩するために、鉄塔に短時間、かつ安全に取り付けと取り外すことができ、容易に運搬することができる。【解決手段】棒状部材の一端に、ステップボルト５３に着脱自在に掛け止める支持部２を具備した休憩器具本体３と、休憩器具本体３の他端に設けた、鉄塔５１の斜材５４に着脱自在に掛け止める掛止具４と、休憩器具本体３の上面に設けた板状の腰掛板５とから成り、作業者が腰掛けて休憩するときに、これを鉄塔５１の主柱材５２に取り付けられた昇降用のステップボルト５３と鉄塔５１の斜材５４とに掛け渡すように着脱自在に掛け止める。【選択図】図１
2008115570.tif 000002
【特許請求の範囲】
【請求項１】
鉄塔（５１）の主柱材（５２）に取り付けられた昇降用のステップボルト（５３）と該鉄塔（５１）の斜材（５４）とに着脱自在に掛け止め、作業者が腰掛けて休憩することができる鉄塔昇塔時の簡易休憩器具（１）であって、
棒状部材の一端に、前記ステップボルト（５３）に着脱自在に掛け止める支持部（２）を具備した休憩器具本体（３）と、
前記休憩器具本体（３）の他端に設けた、前記鉄塔（５１）の斜材（５４）に着脱自在に掛け止める掛止具（４）と、
前記休憩器具本体（３）の上面に設けた板状の腰掛板（５）と、から成る、ことを特徴とする鉄塔昇塔時の簡易休憩器具。
【請求項２】
前記支持部（２）は、前記ステップボルト（５３）の頭部が貫通し得る程度の内径を有する略筒形状の部材である、ことを特徴とする請求項１の鉄塔昇塔時の簡易休憩器具。
【請求項３】
前記支持部（２）は、前記ステップボルト（５３）のボルト部（５３ａ）を挟み得る程度の隙間を有する断面が下向き略Ｕ字形状の部材である、ことを特徴とする請求項１の鉄塔昇塔時の簡易休憩器具。
【請求項４】
前記支持部（２）に、前記ステップボルト（５３）に向けて頭部調節ネジ（６）を取り付けた、ことを特徴とする請求項１、２又は３の鉄塔昇塔時の簡易休憩器具。
【請求項５】
前記掛止具（４）は、
前記休憩器具本体（３）に揺動自在に取り付けられ、前記鉄塔（５１）の斜材（５４）の上方から掛け止める引掛け片（８）を具備した水平部材（９）と、
該水平部材（９）に、その上端を揺動自在に支持され、その下端は前記斜材（５４）の下方から掛け止める引掛け片（８）を具備した垂下部材（１０）と、から成り、両引掛け片（８）で前記斜材（５４）を２箇所同時に固定し得るように構成したものである、ことを特徴とする請求項１の鉄塔昇塔時の簡易休憩器具。
【請求項６】
前記掛止具（４）を、前記休憩器具本体（３）に開けた長孔（７）に取り付けた、ことを特徴とする請求項５の鉄塔昇塔時の簡易休憩器具。
【発明の詳細な説明】
【技術分野】
【０００１】
本発明は、送電線鉄塔において作業者が腰を掛けて休憩する際に用いる鉄塔昇塔時の簡易休憩器具に関するものである。
【背景技術】
【０００２】
送電線鉄塔にはステップボルトが設けられており、作業者はこのステップボルトを利用して昇降塔する。地上高のある鉄塔には、昇塔時の肉体的負担が大きいため、ステップボルトの他に、休憩用の足場又は踊場を数箇所設置しているものがある。この踊場にはグレーチング（枠組み）を用い、安定性と、ある程度の広さを確保している。
【０００３】
鉄塔に足場を設置する技術に関しては、例えば特許文献１の特開平９−１３７６０１号公報「鉄塔用作業足場」に示すように、横断面が略Ｌ字形状の山形鋼材で形成された支柱に取り付けられる鉄塔用作業足場において、上記支柱を形成する山形鋼材の互いに向かい合った両側端部に、着脱自在に側端部を挾持して係合し且つ少なくとも側端部外側面に所定の断面積を有して接触する接触片を有する係合部材と、これら係合部材を互いに連結して近接離間させて上記支柱の両側端部に係合させる連結手段と、上記係合部材の接触片に基端部が固定され他端部が外方に延出された踏み板部材とを備えた鉄塔用作業足が提案されている。
【特許文献１】特開平９−１３７６０１号公報
【０００４】
また、特許文献２の実用新案登録第３０３４２１０号公報「シリンダー状鉄塔用仮設足場装置」に示すように、シリンダー状鉄塔に、迅速かつ簡単な作業により取り付けられ、枠組足場のような基礎が不要で、作業性に富む、鞍型のシリンダー状鉄塔用仮設足場装置と、振れ止めを設けた取り付け材とから構成され、仮設足場の両端部に、取り付け材を接合してなる仮設足場装置が提案されている。
【特許文献２】実用新案登録第３０３４２１０号公報
【発明の開示】
【発明が解決しようとする課題】
【０００５】
しかし、上述したように鉄塔にステップボルトの他に、休憩用の足場又は踊場を数箇所設置したものは、その使用頻度に比べて設置に費用がかかるという問題を有していた。更に、鉄塔に常設した休憩用の足場又は踊場は、カラス等の鳥類が営巣しやすいという問題も有していた。
【０００６】
特許文献１の「鉄塔用作業足場」は、山型鋼の鉄塔主材を任意の場所に取り付けることが可能である。しかし、その構造が複雑であり、その取付作業に長時間を要するという問題を有していた。
【０００７】
また、特許文献２の「シリンダー状鉄塔用仮設足場装置」は、足場を取り付けるための部材を、予め鉄塔主材に溶接等で取り付けておく必要があり、様々な形状の鉄塔には使用できないとい問題を有していた。
【０００８】
本発明は、かかる問題点を解決するために創案されたものである。すなわち、本発明の目的は、鉄塔におけるステップボルトと斜材に装着することで、鉄塔の任意の位置で休憩することができ、鉄塔に短時間、かつ安全に取り付けと取り外すことができ、その運搬が容易な鉄塔昇塔時の簡易休憩器具を提供することにある。
【課題を解決するための手段】
【０００９】
本発明によれば、鉄塔（５１）の主柱材（５２）に取り付けられた昇降用のステップボルト（５３）と該鉄塔（５１）の斜材（５４）とに着脱自在に掛け止め、作業者が腰掛けて休憩することができる鉄塔昇塔時の簡易休憩器具（１）であって、棒状部材の一端に、前記ステップボルト（５３）に着脱自在に掛け止める支持部（２）を具備した休憩器具本体（３）と、前記休憩器具本体（３）の他端に設けた、前記鉄塔（５１）の斜材（５４）に着脱自在に掛け止める掛止具（４）と、前記休憩器具本体（３）の上面に設けた板状の腰掛板（５）と、から成る、ことを特徴とする鉄塔昇塔時の簡易休憩器具が提供される。
例えば、前記支持部（２）は、前記ステップボルト（５３）の頭部が貫通し得る程度の内径を有する略筒形状の部材、又は前記ステップボルト（５３）のボルト部（５３ａ）を挟み得る程度の隙間を有する断面が下向き略Ｕ字形状の部材である。
前記支持部（２）に、前記ステップボルト（５３）に向けて頭部調節ネジ（６）を取り付けることが好ましい。
前記掛止具（４）は、前記休憩器具本体（３）に揺動自在に取り付けられ、前記鉄塔（５１）の斜材（５４）の上方から掛け止める引掛け片（８）を具備した水平部材（９）と、該水平部材（９）に、その上端を揺動自在に支持され、その下端は前記斜材（５４）の下方から掛け止める引掛け片（８）を具備した垂下部材（１０）と、から成り、両引掛け片（８）で前記斜材（５４）を２箇所同時に固定し得るように構成したものである。
前記掛止具（４）を、前記休憩器具本体（３）に開けた長孔（７）に取り付けることが好ましい。
【発明の効果】
【００１０】
上記構成の発明では、鉄塔（５１）の主柱材（５２）に取り付けられた昇降用のステップボルト（５３）に、休憩器具本体（３）の支持部（２）を掛け止める。次に、掛止具（４）の水平部材（９）を鉄塔（５１）の斜材（５４）の上方から引掛け片（８）を掛け止め、掛止具（４）の垂下部材（１０）は同じ斜材（５４）の下方から引掛け片（８）を掛け止める。この掛止具（４）の両引掛け片（８）で斜材（５４）を２箇所同時に固定することにより、簡易休憩器具（１）を、鉄塔（５１）の主柱材（５２）と斜材（５４）間に強固に装着することができる。そこで、作業者は、この簡易休憩器具（１）の腰掛板（５）に腰掛けて休憩することができる。
鉄塔（５１）上における作業が終了したら、簡易休憩器具（１）の掛止具（４）を鉄塔（５１）の斜材（５４）から外し、次に支持部（２）をステップボルト（５３）から抜いて簡易休憩器具（１）を取り外すことができる。
【００１１】
このように、本発明の簡易休憩器具（１）は、鉄塔（５１）に着脱自在に取り付けることができるので、送電線鉄塔の昇降塔時において、作業者の労力の負担が一番よくかかる所望の場所へ装着することができる。特に、簡易休憩器具（１）の構造が簡単かつ軽量であるため運搬や取り付けがきわめて容易である。
【００１２】
本発明の簡易休憩器具（１）は、簡易な構造であるために、工事費の軽減を図ることができる。支持部（２）はステップボルト（５３）に掛け止め、水平部材（９）と垂下部材（１０）とからなる掛止具（４）は、斜材（５４）の２箇所同時に固定する構造であるために、簡易休憩器具（１）を鉄塔（５１）に強固に装着することができる、安全である。
【発明を実施するための最良の形態】
【００１３】
本発明の鉄塔昇塔時の簡易休憩器具は、鉄塔の主柱材に取り付けられた昇降用のステップボルトと鉄塔の斜材とに着脱自在に掛け止めることにより、これに作業者が腰掛けて休憩することができるものである。
【実施例１】
【００１４】
以下、本発明の好ましい実施の形態を図面を参照して説明する。
図１は実施例１の鉄塔昇塔時の簡易休憩器具を示すものであり、（ａ）は正面図、（ｂ）は一部切欠いた平面図、（ｃ）は底面図である。図２は簡易休憩器具を鉄塔に取り付けた状態を示すものであり、（ａ）は正面図、（ｂ）は一部切欠いた平面図である。図３は簡易休憩器具の掛止具を鉄塔に取り付けた状態を示すものであり、（ａ）は拡大正面図、（ｂ）は一部切欠いた拡大平面図である。
実施例１の簡易休憩器具１は、棒状部材の一端に、鉄塔５１の主柱材５２に取り付けられた昇降用のステップボルト５３に挿抜自在に挿通させる支持部２を具備した休憩器具本体３から成り、この休憩器具本体３の他端に、鉄塔５１の斜材５４に着脱自在に掛け止める掛止具４と、休憩器具本体３の上面に板状の腰掛板５をそれぞれ設けたものである。
【００１５】
休憩器具本体３は、断面が略Ｌ字形状の金属製の棒状部材である。この休憩器具本体３は、その両側に支持部２と掛止具４をそれぞれ備えたものである。この休憩器具本体３は、作業者の体重を支えられる程度の強度を有するものであれば、金属製の棒状部材に限定されず、合成樹脂材を用いることができる。また、その断面形状も図示例のような略Ｌ字形状に限定されず、パイプ形状のものを用いることができる。
【００１６】
休憩器具本体３の一端に設けた支持部２は、ステップボルト５３の頭部が貫通し得る程度の内径を有する略筒形状の部材である。この支持部２は、ステップボルト５３に掛け止められる形状であれば、図示例の略筒形状の部材に限定されず、例えば休憩器具本体３の下面に溝（下向き略Ｕ字形状）を形成したものでもよい。但し、鉄塔５１という高所において、容易に着脱自在になり、かつステップボルト５３から外れにくい形状が好ましい。
【００１７】
支持部２には、ステップボルト５３に向けて頭部調節ネジ６を取り付けることが好ましい。これは支持部２がステップボルト５３のボルト部５３ａから簡単に外れないようにすると同時に、支持部２をステップボルト５３のボルト部５３ａの外径の長短に応じて強固に固定するためのものである。
【００１８】
休憩器具本体３の他端に設けた掛止具４は、図３（ａ）,（ｂ）に示すように、休憩器具本体３の他端に形成した長孔７に、矢視線のように移動自在に取り付ける。この長孔７は、休憩器具本体３の長手方向に掛止具４を移動させ得るようにするためである。即ち、ステップボルト５３と鉄塔５１の斜材５４との装着位置の間隔を調節するためである。
【００１９】
掛止具４は、鉄塔５１の斜材５４の上方から掛け止める引掛け片８を具備した水平部材９と、この水平部材９に、その上端を揺動自在に支持され、その下端は斜材５４の下方から掛け止める引掛け片８を具備した垂下部材１０と、から成る部材である。
【００２０】
この水平部材９は、ボルト状の部材であり、これを休憩器具本体３に形成した長孔７に揺動自在に取り付け、その先端に引掛け片８を取り付け、この引掛け片８の先をナット１１で位置調節し得るものである。この引掛け片８は、略四角形状の金属片に孔を開け、一部に鉄塔５１の斜材５４に引っ掛けるように折り曲げたものである。
【００２１】
一方、垂下部材１０も、ボルト状の部材であり、その頭部側は水平部材９に揺動自在に連結し、その先端には引掛け片８を取り付け、この引掛け片８の先をナット１１で位置調節し得る部材である。この引掛け片８は、水平部材９と同様な形状で略四角形状の金属片に孔を開け、一部に鉄塔５１の斜材５４に引っ掛けるように折り曲げたものである。水平部材９と垂下部材１０の両引掛け片８を用いて、斜材５４を２箇所同時に固定し得るように構成したものである。この掛止具４の両引掛け片８で斜材５４を２箇所同時に固定することにより簡易休憩器具１は、鉄塔５１の斜材５４に強固に装着することができる。
【００２２】
図４は傾斜方向が異なる斜材に簡易休憩器具を取り付けた状態を示す正面図である。
掛止具４の垂下部材１０は、水平部材９に揺動自在に連結しているので、斜材５４の傾斜方向に合わせてその向きを自由に変化させることができる。そこで、図１，２，３の図示例とは反対方向の傾斜方向が異なる斜材５４にも垂下部材１０先端の引掛け片８を斜材５４に引っ掛け、水平部材９の引掛け片８と共に、斜材５４を２箇所同時に固定する。
【００２３】
図５は簡易休憩器具を取り付けた鉄塔を示す正面図である。
上記構成の簡易休憩器具１は支持部２と掛止具４と具備した休憩器具本体３から成るものであるために、作業者が鉄塔５１に昇る際に容易に携帯することができる。そこで、作業者は、鉄塔５１上において休憩しようとする位置において、休憩器具本体３の支持部２をステップボルト５３に掛け止め、次に掛止具４の水平部材９を鉄塔５１の斜材５４の上方から引掛け片８を掛け止め、掛止具４の垂下部材１０は同じ斜材５４の下方から引掛け片８を掛け止める。これで装着が完了する。そこで、作業者は、簡易休憩器具１の腰掛板５に腰掛けて休憩することができる。
【００２４】
鉄塔５１上における作業が終了したら、簡易休憩器具１の掛止具４を鉄塔５１の斜材５４から外し、次に支持部２をステップボルト５３から抜いて簡易休憩器具１を取り外すことができる。
【００２５】
このように、本発明の簡易休憩器具１は、鉄塔５１に着脱自在に取り付けることができるので、送電線鉄塔の昇降塔時において、作業者の労力の負担が一番よくかかる所望の場所へ装着することができる。特に、簡易休憩器具１の構造が簡単かつ軽量であるため運搬や取り付けがきわめて容易である。
【００２６】
なお、本発明は、鉄塔５１におけるステップボルト５３と斜材５４に装着することで、鉄塔５１の任意の位置で休憩するために、鉄塔５１に短時間、かつ安全に取り付けと取り外すことができれば、上述した発明の実施の形態に限定されず、本発明の要旨を逸脱しない範囲で種々変更できることは勿論である。
【産業上の利用可能性】
【００２７】
本発明の鉄塔昇塔時の簡易休憩器具は、送電線鉄塔に利用することができるが、送電線以外の鉄塔のように高所において作業が長時間を要するときに、その高所で休憩したいときに利用することができる。
【図面の簡単な説明】
【００２８】
【図１】実施例１の鉄塔昇塔時の簡易休憩器具を示すものであり、（ａ）は正面図、（ｂ）は一部切欠いた平面図、（ｃ）は底面図である。
【図２】簡易休憩器具を鉄塔に取り付けた状態を示すものであり、（ａ）は正面図、（ｂ）は一部切欠いた平面図である。
【図３】簡易休憩器具の掛止具を鉄塔に取り付けた状態を示すものであり、（ａ）は拡大正面図、（ｂ）は一部切欠いた拡大平面図である。
【図４】傾斜方向が異なる斜材に簡易休憩器具を取り付けた状態を示す正面図である。
【図５】簡易休憩器具を取り付けた鉄塔を示す正面図である。
【符号の説明】
【００２９】
１  簡易休憩器具
２  支持部
３  休憩器具本体
４  掛止具
５  腰掛板
６  頭部調節ネジ
７  長孔
８  引掛け片
９  水平部材
１０  垂下部材
５１  鉄塔
５２  主柱材
５３  ステップボルト
５３ａ  ボルト部
５４  斜材
【図１】
2008115570.tif 000003
【図２】
2008115570.tif 000004
【図３】
2008115570.tif 000005
【図４】
2008115570.tif 000006
【図５】
2008115570.tif 000007